(57)【要約】      （修正有）【課題】髪留めやブレスレッドなどのように身体に華やかに装着することが可能であり、さらに、スマートフォンなどの多機能携帯情報端末のカバーなどに装着してそれらの落下を防止する機能をも併せ持つ装飾用品を提供する。【解決手段】細長い布２１ａ〜ｄと、この布よりも幅及び長さが短く伸縮可能である帯状体２２ａ〜ｃとをそれぞれ複数有し、布の長手方向の中央部に帯状体が固着され、最外層が布２１ａと２２ｄになるよう布と帯状体が互い違いに層状に形成された装飾部と、装飾部の長手方向の両端に固着され伸縮可能な帯状の緊締部３と、を備え、環状に形成されたことを特徴とする。【選択図】図３
0003187081.tif 000002
【実用新案登録請求の範囲】
【請求項１】
細長い布と、前記布よりも幅及び長さが短く伸縮可能である帯状体とをそれぞれ複数有し、前記布の長手方向の中央部に前記帯状体が固着され、最外層が前記布となるよう前記布と前記帯状体が互い違いに層状に形成された装飾部と、
前記装飾部の長手方向の両端に固着され伸縮可能な帯状の緊締部と、を備え、環状に形成されたことを特徴とする装飾用品。
【請求項２】
前記帯状体は最も伸ばされた状態においても前記布よりも長さが短く、その前記帯状体が伸ばされた状態で前記布に固着されていることを特徴とする請求項１に記載の装飾用品。
【請求項３】
前記装飾部が、前記布を４層、前記帯状体を３層からなることを特徴とする請求項１又は請求項２に記載の装飾用品。
【考案の詳細な説明】
【技術分野】
【０００１】
本考案は、髪を通して髪を束ねる髪留め、スマートフォンなどの多機能携帯情報端末のカバーに装着する装飾品などの多用途に使用することができる装飾具に関する。
【背景技術】
【０００２】
従来、円環状にした薄手の布にゴムを挿通して縮ませた髪飾りである「シュシュ」と呼ばれている装身具が知られている。特に女性の長髪を頭の後ろ側で束ねて髪留めとして使用されたり、手首などに挿通してブレスレッドとして使用されている。
【０００３】
例えば、特許文献１には、帯状体の長手方向の両端縁が連結されてリング状に形成されるとともに、その帯状体の短手方向の中央部で、リングの全周に沿って設けられ、帯状体の一方の面で１つの切れ目を有する環状筒部を備えた装飾具本体と、その環状筒部内に挿通されてその装飾具本体のリングの内径より小径のループ状に保持されたループ状弾性部材とを備え、そのループ状弾性部材は、その切れ目から環状筒部外に露出する露出部を有し、この露出部には、露出部長さ調整部材が、その露出部の一部を略Ｕ字形状に保持するとともに、この略Ｕ字形状部分の露出長さを調整可能にループ状弾性部材にスライド可能に装着されている装飾具が開示されている。
【先行技術文献】
【特許文献】
【０００４】
【特許文献１】特開２０１３−０１７７１９号公報
【考案の概要】
【考案が解決しようとする課題】
【０００５】
しかしながら、特許文献１に記載の装飾具では、髪留めやブレスレッドなどの身体に身につけたときに華やかさが足りず、またそれら以外の用途として、携帯電話、ハンドバッグ、トートバッグなどの身の回りの物に取り付けることも挙げられているが、そのためには別部材を装飾具に取り付ける必要があり、その取り付けが面倒であり、その別部材を紛失したときには使用することができないものであった。
【０００６】
また、携帯電話に取り付けたとしても単に携帯電話を装飾するだけに過ぎず、携帯電話の落下を防止するような機能を備えるものではなかった。
【０００７】
そこで、本考案では、前述した課題に対し、髪を束ねる髪留めやブレスレッドなどの身体に、より華やかに装着することが可能であり、さらに、スマートフォンなどの多機能携帯情報端末のカバーなどに装着してそれらの落下を防止する機能をも併せ持つ装飾用品を提供することを目的とする。
【課題を解決するための手段】
【０００８】
〔１〕すなわち、本考案は、細長い布と、前記布よりも幅及び長さが短く伸縮可能である帯状体とをそれぞれ複数有し、前記布の長手方向の中央部に前記帯状体が固着され、最外層が前記布となるよう前記布と前記帯状体が互い違いに層状に形成された装飾部と、
前記装飾部の長手方向の両端に固着され伸縮可能な帯状の緊締部と、を備え、環状に形成されたことを特徴とする装飾用品である。
【０００９】
〔２〕そして、前記帯状体は最も伸ばされた状態においても前記布よりも長さが短く、その前記帯状体が伸ばされた状態で前記布に固着されていることを特徴とする前記〔１〕に記載の装飾用品である。
【００１０】
〔３〕そして、前記装飾部が、前記布を４層、前記帯状体を３層からなることを特徴とする請求項１又は請求項２に記載の装飾用品である。
【考案の効果】
【００１１】
本考案に係る装飾用品によれば、髪を束ねる髪留めやブレスレッドなどの身体に、より華やかに装着することが可能であり、さらに、スマートフォンなどの多機能携帯情報端末のカバーなどに装着してそれらの落下を防止することができる。
【図面の簡単な説明】
【００１２】
【図１】本考案の一実施例における装飾用品の正面図である。
【図２】本考案の一実施例における装飾用品の右側面図である。
【図３】本考案の一実施例における装飾用品のＡ−Ａ線断面図である。
【図４】本考案の一実施例における装飾用品をスマートフォンのカバーに装着した状態の図である。
【図５】本考案の一実施例における装飾用品を髪に装着した状態の図である。
【考案を実施するための形態】
【００１３】
以下、本考案に係る装飾用品に関する一実施形態について詳しく説明する。なお、以下に説明する実施形態は、本考案を実施するに好ましい具体例であるから、技術的に種々の限定がなされているが、本考案は、以下の説明において特に考案を限定する旨明記されていない限り、これらの形態に限定されるものではない。
【００１４】
図１、図２に本考案に係る装飾用品に関する一実施形態を示している。図３は、本考案に係る装飾用品に関する一実施形態の断面図を示している。そして、図４は、本考案に係る装飾用品に関する一実施形態の使用状態を示しており、スマートフォンとスマートフォンカバーの間に挟もうとする途中状態を示している。図５は、本考案に係る装飾用品に関する一実施形態の使用状態を示しており、髪を束ねている状態を示している。
【００１５】
図１から図３に示すように、装飾用品１は、細長い布２１ａ、２１ｂ、２１ｃ、２１ｄを４枚と、布２１ａ、２１ｂ、２１ｃ、２１ｄよりも幅及び長さが短く伸縮性を有する帯状体２２ａ、２２ｂ、２２ｃを３本とを有しており、布２１ａ、２１ｂ、２１ｃ、２１ｄの長さ方向である長手方向の中央部に沿って固着され、最外層が布２１ａ、２１ｄとなるよう布２１ａ、２１ｂ、２１ｃ、２１ｄと帯状体２２ａ、２２ｂ、２２ｃとを互い違いに層状に形成された装飾部２と、装飾部２の長手方向の両端に固着され伸縮性を有する帯状の緊締部３とを備えており、全体として環状に形成されている。
【００１６】
そして、さらに、装飾用品１において、帯状体２２ａ、２２ｂ、２２ｃは最も伸ばされた状態においても布２１ａ、２１ｂ、２１ｃ、２１ｄよりも長さが短く、その帯状体２２ａ、２２ｂ、２２ｃが伸ばされた状態で布２１ａ、２１ｂ、２１ｃ、２１ｄに固着されている。これにより、帯状体２２ａ、２２ｂ、２２ｃが伸びた状態から元の長さに戻ろうと短くなったときに、布２１ａ、２１ｂ、２１ｃ、２１ｄには多くの皺が立体的に形成されるため、より華やかに装着することができる。
【００１７】
図３に示すように、装飾部２は、４枚の細長い布２１ａ、２１ｂ、２１ｃ、２１ｄと、３本の帯状体２２ａ、２２ｂ、２２ｃとが、布２１ａ、帯状体２２ａ、布２１ｂ、帯状体２２ｂ、布２１ｃ、帯状体２２ｃ、布２１ｄの順に互い違いになるように層をなして縫合されている。なお、本実施形態において、布２１ａ、２１ｂ、２１ｃ、２１ｄと、３本の帯状体２２ａ、２２ｂ、２２ｃとの固着手段は縫合であるが、接着剤などの固着手段を用いることができる。
【００１８】
そして、装飾部２において、帯状体２２ａ、２２ｂ、２２ｃは、布２１ａ、２１ｂ、２１ｃ、２１ｄよりも長さが短く、布２１ａ、２１ｂ、２１ｃ、２１ｄの長手方向の中央部に沿って縫合されているため、装飾部２の両端には、帯状体２２ａ、２２ｂ、２２ｃが存在せず、布２１ａ、２１ｂ、２１ｃ、２１ｄのみが縫合されている。すなわち、帯状体２２ａ、２２ｂ、２２ｃは、装飾部２の両端部に位置しないよう布２１ａ、２１ｂ、２１ｃ、２１ｄに固着されている。これにより、装飾部２の両端に、帯状の緊締部３の両端をそれぞれ固着するときに、帯状体２２ａ、２２ｂ、２２ｃと緊締部３とが固着されないこととなるため、装飾部２の両端が不必要に伸長せず装飾部２の両端を美しく見せることができる。
【００１９】
細長い布２１ａ、２１ｂ、２１ｃ、２１ｄは、矩形状、略楕円形状、略紡錘形状などの一方向に長く、厚みの薄い布である。その布２１ａ、２１ｂ、２１ｃ、２１ｄの寸法は、長さが１０〜５０ｃｍであることが好ましく、幅は５〜１５ｃｍであることが好ましく、厚みは０．０１〜２ｍｍであることが好ましい。この範囲にあると、髪や腕などの身体やスマートフォンとスマートフォンカバーとの間に装着したときに多くの皺が立体的に形成されるため外観が非常に華やかになる。
【００２０】
そして、布２１ａ、２１ｂ、２１ｃ、２１ｄには、模様、色彩など視る者に美感を与えるよう各種加工が施されていても良い。また、布２１ａ、２１ｂ、２１ｃ、２１ｄとしては、織物、編み物、レース、フェルト、不織布などの作成方法により作成されたものが好ましく、また、その素材は綿、絹などの天然高分子、ナイロン６，６、ポリエチレンテレフタレート、ポリエチレン、ポリプロピレンなどの合成高分子であることが好ましい。これらの作成方法及び素材を選ぶことにより、繰り返し使用しても劣化が少なく耐久性に優れているため長きに亘り使用することができる。
【００２１】
帯状体２２ａ、２２ｂ、２２ｃは、矩形状、略楕円形状、略紡錘形状などの一方向に長いが、布２１ａ、２１ｂ、２１ｃ、２１ｄよりも幅及び長さが短く、ゴムによる伸縮性を有する部材である。布２１ａ、２１ｂ、２１ｃ、２１ｄに挟まれるよう縫合され、布２１ａ、２１ｂ、２１ｃ、２１ｄに皺を立体的に形成するとともに、髪や腕などの身体やスマートフォンとスマートフォンカバーとの間に装着したときにその被着体に応じて伸長する。また、帯状体２２ａ、２２ｂ、２２ｃは、ポリブタジエンゴムやポリウレタンなどのゴム糸を核にして、織ったり、編んだり、組んだりして形成されていることが好ましい。これにより、適度な長さ、強さで伸縮するように調整することができる。また、帯状体２２ａ、２２ｂ、２２ｃの伸びの程度としては、伸びていない基の長さより２〜４倍伸びることが好ましい。
【００２２】
そして、帯状体２２ａ、２２ｂ、２２ｃの寸法は、長さが８〜４５ｃｍであることが好ましく、幅は３〜１０ｍｍであることが好ましく、厚みは０．０１〜１ｍｍであることが好ましい。この範囲にあると、髪や腕などの身体やスマートフォンとスマートフォンカバーとの間に装着したときに多くの皺が立体的に形成されるため、布２１ａ、２１ｂ、２１ｃ、２１ｄの外観が非常に華やかになる。
【００２３】
なお、本実施形態において、細長い布２１ａ、２１ｂ、２１ｃ、２１ｄを４枚、帯状体２２ａ、２２ｂ、２２ｃを３本としているが、他の実施形態において、最外層に布が来るよう層状に形成して装飾部２を得るには、布の数より帯状体の数が１少なければ良いのであり、この限りにおいて布及び帯状体の数は３〜１０とすることが好ましい。
【００２４】
緊締部３は、ゴムによる伸縮性を有し、矩形状、略楕円形状、略紡錘形状などの一方向に長い帯状の部材である。装飾部２の両端に、緊締部３の両端がそれぞれ縫合され、装飾用品全体として環状となり、装飾部２とともに、髪や腕などの身体やスマートフォンカバーから装飾用品１が脱落することを防止する。なお、本実施形態において、緊締部３と、装飾部２との固着手段は縫合であるが、接着剤などの固着手段を用いることができる。
【００２５】
そして、緊締部３は、ポリブタジエンゴムやポリウレタンなどのゴム糸を核にして、織ったり、編んだり、組んだりして形成されていることが好ましい。これにより、適度な長さ、強さで伸縮するように調整することができる。また、緊締部３の伸びの程度としては、伸びていない基の長さより２〜４倍伸びることが好ましい。
【００２６】
そして、緊締部３の寸法は、長さが１０〜５０ｃｍであることが好ましく、幅は１〜３ｃｍであることが好ましく、厚みは０．０１〜２ｍｍであることが好ましい。この範囲にあると、髪や腕などの身体やスマートフォンカバーなどに装着したときに、それら身体やスマートフォンカバーなどをしっかりと保持することができる。
【００２７】
図５に示すように、スマートフォン４などの多機能携帯情報端末に用いられるカバー４１に、本考案に係る装飾用品１の緊締部３を取り付けて、スマートフォン４をカバー４１に装着すると、スマートフォン４の背面を装飾することができるとともに、カバー４１の背面と装飾部２との間に手を入れることにより、スマートフォン４が誤って手から落下することを防止することもできる。
【００２８】
また、図示しないが、手帳と手帳カバーや本とブックカバーとの間に、本考案に係る装飾用品１の緊締部３を取り付ければ、手帳や本を華やかに装飾することができるとともに、手帳や本が誤って手から落下することを防止することもできる。
【００２９】
そして、図６に示すように、頭部の髪Ｈを本考案に係る装飾用品１の装飾部２と緊締部３との間に挿通し、緊締部３を数度ひねるなどして生じた環に再度髪Ｈを挿通して、装飾用品１が髪Ｈから脱落しないように調整することにより、髪Ｈを束ねることができる。
【符号の説明】
【００３０】
１・・・装飾用品
２・・・装飾部
２１ａ〜２１ｄ・布
２２ａ〜２１ｃ・帯状体
３・・・緊締部
４・・・スマートフォン
４１・・カバー
Ｈ・・・髪
【図１】
0003187081.tif 000003
【図２】
0003187081.tif 000004
【図３】
0003187081.tif 000005
【図４】
0003187081.tif 000006
【図５】
0003187081.tif 000007